(57)【特許請求の範囲】
【請求項１】
内部に、ターボファンと、上記ターボファンの外周を囲むように配置される熱交換器とを有する天井埋込型のケーシング本体と、同ケーシング本体の底面に取り付けられ空気吹出口を有する化粧パネルを有し、上記ケーシング本体は、底面にドレンパンを有し、上記ドレンパンには、上記熱交換器で熱交換された調和空気を上記空気吹出口に案内する断面長方形状の貫通孔である空気吹出通路が設けられており、上記空気吹出通路の長辺間に補強用の支柱が設けられている天井埋込型空気調和機において、
上記支柱は、上記各長辺側を基端部として、上記各基端部から中央に向かって斜め上方に向かって延在する傾斜部と、上記傾斜部の端部同士を連結する頂部とを有するアーチ状に形成されており、上記頂部が上記空気吹出通路の流入側の開口面より上方に位置することを特徴とする天井埋込型空気調和機。
【請求項２】
上記ドレンパンは、発泡樹脂製のドレンパン本体の上記熱交換器側に樹脂製のドレンシートが一体的に形成されており、上記支柱は、上記ドレンシートで形成されることを特徴とする請求項１に記載の天井埋込型空気調和機。
【発明の詳細な説明】
【技術分野】
【０００１】
本発明は、天井埋込型空気調和機に関し、さらに詳しく言えば、ドレンパンの空気吹出通路の構造に関する。
【背景技術】
【０００２】
天井埋込型空気調和機は、箱形のケーシング本体が天井スラブと天井パネルとの間に形成された空間に埋設される。ケーシング本体の底面（室内に向く面）には、四角形状の化粧パネルが取り付けられ、通常はその中央に空気吸込口、その周りに空気吹出口が設けられている。ケーシング本体の内部には、ターボファンと、上記ターボファンの外周を囲むように配置される熱交換器と、上記熱交換器の下部に配置されるドレンパンとを備えている（例えば特許文献１参照）。
【０００３】
図６を参照して、ドレンパン１は、熱交換器３の下部が位置する露受け部１ａと、熱交換器３で熱交換された調和空気を化粧パネルに形成されている空気吹出口に導くための空気吹出通路５とを一体として備え、平面視四角形状の枠体としてケーシング本体２の底面側に嵌め込まれる。
【０００４】
多くの場合、ドレンパン１は全体が発泡スチロール樹脂からなり、空気吹出通路５は、ドレンパン１の厚さ方向（図６では上下方向）に貫通する平面視で細長い長方形状の貫通孔として形成されているため、特に長辺の中央部分で割れが生じやすい。
【０００５】
そこで、空気吹出通路５に補強用の支柱６を設けるようにしている。支柱６は、空気吹出通路５の長辺側の側壁５ａ，５ｂ間に水平に掛け渡された横梁であって、従来では、空気吹出通路５内に設けられている。
【先行技術文献】
【特許文献】
【０００６】
【特許文献１】特開２００６−１５３４５２号公報
【発明の概要】
【発明が解決しようとする課題】
【０００７】
しかしながら、支柱６を空気吹出通路５内に設置すると、空気吹出通路５内を流れる送風の抵抗となるため、空気吹出口からの吹き出される風量が低下する。
【０００８】
そこで、本発明の課題は、ドレンパンに備えられた空気吹出通路の機械的強度を維持しつつ、空気吹出通路を通る空気の妨げにならない補強用の支柱を備えた天井埋込型空気調和機を提供することにある。
【課題を解決するための手段】
【０００９】
上述した課題を解決するため、本発明は、内部に、ターボファンと、上記ターボファンの外周を囲むように配置される熱交換器とを有する天井埋込型のケーシング本体と、同ケーシング本体の底面に取り付けられ空気吹出口を有する化粧パネルを有し、上記ケーシング本体は、底面にドレンパンを有し、上記ドレンパンには、上記熱交換器で熱交換された調和空気を上記空気吹出口に案内する断面長方形状の貫通孔である空気吹出通路が設けられており、上記空気吹出通路の長辺間に補強用の支柱が設けられている天井埋込型空気調和機において、
上記支柱は、上記各長辺側を基端部として、上記各基端部から中央に向かって斜め上方に向かって延在する傾斜部と、上記傾斜部の端部同士を連結する頂部とを有するアーチ状に形成されており、上記頂部が上記空気吹出通路の流入側の開口面より上方に位置することを特徴としている。
【００１１】
さらに好ましい態様として、上記ドレンパンは、発泡樹脂製のドレンパン本体の上記熱交換器側に樹脂製のドレンシートが一体的に形成されており、上記支柱は、上記ドレンシートで形成される。
【発明の効果】
【００１２】
本発明によれば、空気吹出通路の補強用の支柱の一部が、空気吹出通路の流入側の開口面より上方に突出するように形成されていることにより、空気吹出通路を流れる空気の妨げにならないため、空気吹出口から吹き出される風量の低下を抑えることができる。
【図面の簡単な説明】
【００１３】
【図１】本発明の一実施形態に係る天井埋込型空気調和機の外観斜視図。
【図２】上記天井埋込型空気調和機の要部断面図。
【図３】化粧パネルを取り外し、ケーシング本体を底面側から見た状態の正面図。
【図４】ドレンパンの空気吹出通路の流入側を部分的に拡大した部分拡大斜視図。
【図５】図３のＡ−Ａ線断面図。
【図６】従来のドレンパンの空気吹出通路の構成を説明する部分断面図。
【発明を実施するための形態】
【００１４】
次に、本発明の具体的な実施形態について図面を参照しながら説明するが、本発明はこれに限定されない。
【００１５】
図１および図２に示すように、この天井埋込型空気調和機１０は、天井スラブと天井パネルＴとの間に形成された空間に収納される直方体形状のケーシング本体２０と、ケーシング本体２０の底面Ｂに取り付けられる化粧パネル３０とを備えている。ケーシング本体２０は、その側面に設けられている吊下金具４０を介して天井スラブ側の図示しない吊下ボルトにより、天井面とほぼ面一となるように吊り下げられる。
【００１６】
化粧パネル３０は、天井面Ｔに沿って配置され、中央に四角形状に開口された空気吸込口３１を有し、その空気吸込口３１の四辺に沿って空気吹出口３２が４箇所に配置されている。空気吸込口３１には、吸込グリル５０が着脱自在に設けられている。
【００１７】
空気吹出口３２はそれぞれ長方形状に形成されており、各空気吹出口３２には、回動可能な風向板３３が設けられており、運転停止時には、この風向板３３が閉じて空気吹出口３２を塞ぐ。
【００１８】
ケーシング本体２０は、角部が面取りされた八角形状の天板２１と、同天板２１の各辺から下方に延在する４枚の側板２２（２２ａ〜２２ｄ）とを有し、底面Ｂ（図１では底面）が開放された箱形容器からなる。ケーシング本体２０の内周面には、発泡スチロールからなる断熱材２３が設けられている。
【００１９】
図３を併せて参照して、ケーシング本体２０は、４箇所の角部のうち１箇所の角部（この例では側板２２ａと側板２２ｄとが突き合わさる角部）が外側から内側に向かって一段凹むように形成されており、その凹部に熱交換器２５の冷媒配管２５ａ，２５ｂを外部に引き出すための配管引出部７０が設けられている。
【００２０】
ケーシング本体２０の内部のほぼ中央には、送風機としてのターボファン２４が配置されており、ターボファン２４の外周には、ターボファン２４を囲むように熱交換器２５が例えば四角枠状に配置されている。
【００２１】
熱交換器２５の下部側には、冷房運転時に熱交換器２５で生成される結露水を受け止めるドレンパン６０が設けられている。この実施形態において、ドレンパン６０は、発泡スチロール樹脂製であり、図５に示すように、露受け部６６を有するドレンパン本体６１と、熱交換器２５を通過した調和空気を化粧パネル３０の空気吹出口３２に案内する空気吹出通路６４とを備えている。ドレンパン本体６１の熱交換器２５側には、樹脂製のドレンシート６２が形成されている。
【００２２】
ドレンパン６０は平面視で四角枠状に形成されおり、その四角枠内が化粧パネル３０の空気吸込口３１に連通する空気吸込通路６３となっている。空気吸込通路６３内には、空気吸込口３１から吸い込まれた空気をターボファン２４の吸込側へ案内するベルマウス２７が設けられている。
【００２３】
図３を併せて参照して、ベルマウス２７の空気吸込口３１側には、電装品箱２８が設けられている。この実施形態において、電装品箱２８は、配管引出部７０に近い角部側にＬ字状に配置されている。
【００２４】
この実施形態において、空気吹出通路６４は、ケーシング本体２０内で化粧パネル３０の空気吹出口３２に対応して４箇所に設けられているが、その基本的な構成はほぼ同じであるため、その一つについて図４，図５により説明する。
【００２５】
空気吹出通路６４は、ケーシング本体２０の側板２２に沿って平行で、かつ、所定の間隔もって対向配置された一対の長辺壁６４ａ，６４ｂと、長辺壁６４ａ，６４ｂの端部間に形成された一対の短辺壁６４ｃ、６４ｄとによって囲まれる断面長方形状であって、ケーシング本体２０の厚さ方向（図５では上下方向）に貫通する貫通孔である。上記したように、この実施形態において、空気吹出通路６４はドレンパン本体６１に形成されている。
【００２６】
図５に示すように、空気吹出通路６４の流入側の開口部（図５の上面側）は、熱交換器２５を通過した調和空気をより効率的に取り込むため、側板２２側の長辺壁６４ａの高さＨ１が、対向するドレンパン本体６１側の長辺壁６４ｂの高さＨ２よりも高く（Ｈ１＞Ｈ２）なるように形成されており、長辺壁６４ａの頂部と長辺壁６４ｂの頂部とを結ぶ仮想開口面Ｆが、側板２２側からドレンパン本体６１側に向けて下がり勾配になっている。
【００２７】
空気吹出通路６４の流入側には、発泡樹脂製の空気吹出通路６４の機械的強度を補うための支柱６５が設けられている。支柱６５は、対向する長辺壁６４ａ，６４ｂのほぼ中央部間に掛け渡されており、その一部分が空気吹出通路６４の流入側の開口面Ｆより上方に突出するように形成されている。
【００２８】
この実施形態において、支柱６５は、一方の長辺壁６４ａの上端側を基端部として、空気吹出通路６４内の斜め上方に向かって延在する第１傾斜部６５ａと、他方の長辺壁６４ｂの上端側を基端部として、空気吹出通路６４内の斜め上方に向かって延在する第２傾斜部６５ｂと、各傾斜部６５ａ，６５ｂの端部同士を連結する頂部となる水平部６５ｃとを有するアーチ状に形成されており、通風抵抗を減じることを意図して、第１および第２傾斜部６５ａ，６５ｂの一部と、水平部６５ｃとが開口面Ｆよりも上方に位置している。なお、支柱６５の高さ方向の幅Ｗは、各傾斜部６５ａ，６５ｂから水平部６５ｃにかけてほぼ等幅である。
【００２９】
このように、図６に示す従来例では、支柱６の全体が空気吹出通路５の中に配置されていたのに対し、本発明では、支柱６５が空気吹出通路６４の中に占める体積が従来例より少なくすることができる。従って、空気吹出通路６４内での障害物を減らして、空気吹出通路６４の空間を広げ、通風抵抗を低減させることができる。
【００３０】
この実施形態において、ドレンシート６２は、予め成型された成型品であって、ドレンパン６０の成形時にインサート成型としてその金型内に配置したのち、ドレンパン本体６１の発泡成型と同時にドレンパン本体６１の内面と一体化される。
【００３１】
ドレンシート６２は、支柱６５の中心をなす芯材６５１を備え、ドレンパン６２のインサート成形時に、芯材６２の外周面、この実施形態では左右両側面と底面に発泡樹脂部６５２が一体形成されたサンドイッチ構造となることで、支柱６５の機械的強度が強固になるとともに、芯材６５１への露付きを防止できる。
【００３２】
上記実施形態において、支柱６５における第１および第２の傾斜部６５ａ，６５ｂの基端側は、空気吹出通路６４の流入側の開口面Ｆよりも下側に位置し空気吹出通路６４内に配置されているが、支柱６５の一部（好ましくは中央部分）が開口面Ｆよりも突出していれば、上述した通風抵抗の低減効果を得ることができる。また、支柱６５の全てを開口面Ｆよりも上方に突出するように設計してもよい。このように、支柱６５の厚さ分の一部でも開口面Ｆより突出していれば、空気吹出通路６４の空間を広げ、上述した通風抵抗の低減効果を得ることができる。
【００３３】
以上説明したように、本発明によれば、支柱６５の一部が、空気吹出通路６４の流入側の開口面Ｆよりも上方に突出するように形成されていることにより、空気吹出通路を流れる空気の妨げにならず、その結果、乱流や風量の低下を招くことを抑えることができる。
【符号の説明】
【００３４】
１０  天井埋込型空気調和機
２０  ケーシング本体
２１  天板
２２ａ〜２２ｄ  側板
２３  断熱材
２４  ターボファン
２５  熱交換器
２５ａ，２５ｂ  冷媒配管
２７  ベルマウス
２８  電装品箱
３０  化粧パネル
３１  空気吸込口
３２  空気吹出口
３３  風向板
４０  吊下金具
５０  吸込グリル
６０  ドレンパン
６１  ドレンパン本体
６２  ドレンシート
６３  空気吸込通路
６４  空気吹出通路
６５  支柱
【図１】
0006481817.tif 000002
【図２】
0006481817.tif 000003
【図３】
0006481817.tif 000004
【図４】
0006481817.tif 000005
【図５】
0006481817.tif 000006
【図６】
0006481817.tif 000007